(57)【要約】【課題】  調理をする際に加熱器具収容部の蓋を載置台として使用可能であり、使用者が載置台に過って接触する等しても、加熱器具や調理器具に当たって内容物をこぼしてしまうなどの影響を及ぼすことなく安全に調理ができるテーブルを提供する。【解決手段】  テーブル(T)は天板(1)、天板(1)に開口部(10)を有し下方へ膨出して設けてある加熱器具収容部(2)、加熱器具収容部(2)の開口部(10)を開閉する蓋体装置(3)、加熱器具収容部(2)を囲むように天板(1)下側に配される四本の固定脚(4)、固定脚(4)から離れた位置に設けてある飾り脚(5)及び飾り脚(5)に水平方向へ回動可能に設けてある副天板(6)により構成されている。蓋体装置(3)の蓋体(32)は開口部(10)から離れて反転したときには、全部が天板(1)から張り出して載置部として使用できる。【選択図】        図４
2006218221.tif 000002
【特許請求の範囲】
【請求項１】
天板部分に加熱器具収容部(2)を有するテーブルであって、
加熱器具収容部(2)の開口部(10)に着脱可能であり、被せられて開口部(10)を塞いだときには表面が天板(1)表面と本質的に面一となる蓋体(32)を有しており、
蓋体(32)は、開口部(10)から離れたときに、天板(1)と蓋体(32)をつなぐ手段(31)を介して天板(1)の近傍に位置させて物品を載せる載置部として使用できるよう構成されていることを特徴とする、
テーブル。
【請求項２】
天板部分に加熱器具収容部(2)を有するテーブルであって、
加熱器具収容部(2)の開口部(10)に着脱可能であり、被せられて開口部(10)を塞いだときには表面が天板(1)表面と本質的に面一となる蓋体(32)を有しており、
蓋体(32)は上下方向に回動可能に設けられた回動体(31)に設けられており、開口部(10)から離れて反転したときには、その一部または全部が天板(1)から張り出して物品を載せる載置部として使用できるよう構成されていることを特徴とする、
テーブル。
【請求項３】
天板(1)の下側に水平方向へ回動し、天板(1)内側への収容と天板(1)外側への張り出しができるように設けられた副天板(6)が設けられていることを特徴とする、
請求項１または２記載のテーブル。
【発明の詳細な説明】
【技術分野】
【０００１】
本発明は、テーブルに関するものである。更に詳しくは、天板部分に加熱器具を収容可能なテーブルであって、調理をする際に収容部の蓋を載置台として使用可能であり、使用者が過って載置台に接触する等しても加熱器具や調理器具に影響を及ぼすことなく安全に調理ができるものに関する。
【背景技術】
【０００２】
通常は普通のテーブルとして使用可能であり、必要なときには鍋料理や焼き料理などの料理をテーブルで調理することができるテーブルが利用されている。このようなテーブルの例として、天板に設けてある収容部に七輪やガスコンロなどの加熱器具を収容し、加熱器具に調理器具を載せて調理することができるものがある。
【０００３】
上記テーブルでは、普通のテーブルとして使用するときは加熱器具を収容する収容部の開口部に蓋が被せられており、調理をする際に蓋を外すようになっている。しかし、この外した蓋は、多くの場合、置き場所に困っており、調理をする人の邪魔になったり、特に屋外で使用する場合など、蓋に傷を付けてしまったり、紛失することもあった。
そこで、調理するときにも蓋を分離させずに有効に利用するようにしたものとして、例えば特許文献１記載のテーブルが提案されている。
【０００４】
特許文献１記載のテーブルは、テーブルの天板の中央に設けてある収容部を覆う二枚の蓋板を備えており、各蓋板は中央で分離して両側へスライドし、天板の両側で外へ張り出す構成を有している。そして、このテーブルを普通のテーブルとして使用するときは、各蓋板を中央で付き合わせて収容部を塞いでおき、調理をする際には、各蓋板を両側へスライドさせて収容部を開口し、加熱器具を使用可能とするとともに、蓋板の張り出した部分を載置部として利用できるようにする。
【０００５】
【特許文献１】実開昭６０−１０５４２５号公報
【発明の開示】
【発明が解決しようとする課題】
【０００６】
しかしながら、特許文献１記載の従来のテーブルには次のような課題があった。
加熱器具の上には、土鍋などの調理器具を置いて調理をするが、各蓋板はスライドできる構造であるために、例えば調理する人やテーブルで食事をする人たちが、立ち座りや移動をするときに過って蓋板に当たってしまった場合、蓋板は簡単にスライドしてしまう。
【０００７】
調理中にこのようなことが起こると、スライドして戻った蓋板が調理器具に接触し、その衝撃で高温の内容物がはね出したり、甚だしい場合は調理器具が転倒して内容物がこぼれてしまい、周囲にいる人がやけどを負う危険がある。
【０００８】
（本発明の目的）
本発明の目的は、天板部分に加熱器具を収容可能なテーブルであって、調理をする際に収容部の蓋を載置台として使用可能であり、使用者が載置台に過って接触する等しても、加熱器具や調理器具に当たって内容物をこぼしてしまうなどの影響を及ぼすことなく安全に調理ができるテーブルを提供することである。
【課題を解決するための手段】
【０００９】
上記課題を解決するために本発明が講じた手段は次のとおりである。
【００１０】
第１の発明にあっては、
天板部分に加熱器具収容部を有するテーブルであって、
加熱器具収容部の開口部に着脱可能であり、被せられて開口部を塞いだときには表面が天板表面と本質的に面一となる蓋体を有しており、
蓋体は、開口部から離れたときに、天板と蓋体をつなぐ手段を介して天板の近傍に位置させて物品を載せる載置部として使用できるよう構成されていることを特徴とする、
テーブルである。
【００１１】
第２の発明にあっては、
天板部分に加熱器具収容部を有するテーブルであって、
加熱器具収容部の開口部に着脱可能であり、被せられて開口部を塞いだときには表面が天板表面と本質的に面一となる蓋体を有しており、
蓋体は上下方向に回動可能に設けられた回動体に設けられており、開口部から離れて反転したときには、その一部または全部が天板から張り出して物品を載せる載置部として使用できるよう構成されていることを特徴とする、
テーブルである。
【００１２】
第３の発明にあっては、
天板の下側に水平方向へ回動し、天板内側への収容と天板外側への張り出しができるように設けられた副天板が設けられていることを特徴とする、
第１または第２の発明に係るテーブルである。
【００１３】
蓋体は、開口部から離すときに天板から分離する構造とすることもできるが、例えば回動体に取り付けられる構造のように、常時天板と蓋体をつなぐ手段を採用し分離しないようにするのがより好ましい。
分離する構造の場合は、例えば天板に受具（天板と蓋体をつなぐ手段）を天板内側へ収容可能に設けておき、開口部から蓋体を外したときには受具を天板外側へ出して受具に蓋体を装着するようにした構造等が採用できるが、この構造に限定するものではない。
【００１４】
（作用）
本発明に係るテーブルの作用を説明する。なお、ここでは本発明の各構成要件のそれぞれに、後述する実施の形態において各部に付与した符号を対応させて付与し説明するが、この符号の付与は、あくまで説明の理解を容易にするためであって各構成要件の上記各部への限定を意味するものではない。
【００１５】
テーブル(T)を普通のテーブルとして使用するときは、蓋体(32)を加熱器具収容部(2)の開口部(10)に被せておく。この状態では、蓋体(32)の表面が天板(1)表面と本質的に面一となっており、テーブルとして支障なく使用できる。
テーブル(T)で加熱調理をするときは、蓋体(32)を開口部(10)から離脱させるように、例えば回動体(31)を回動させ、蓋体(32)を反転させる。回動体(31)が天板(1)に直接または間接的に当たって止まると、蓋体(32)も天板(1)から一部または全部が張り出すようにして止まる。
【００１６】
加熱器具収容部(2)には、あらかじめ七輪(7)等の加熱器具を収容しておいてもよいし、調理するときに収容してもよい。
そして、収容した加熱器具に鍋等の調理器具を載せ、加熱調理を行うようにする。このとき、反転し天板(1)から張り出している蓋体(32)は、調理の材料や調理用の各種道具を載せる載置部として使用することができる。
【００１７】
また、蓋体(32)は回動体(31)を介して連結され分離しない構造であるので、加熱器具収容部(2)を開けたときに蓋体(32)の置き場所に困ることもない。更には加熱調理中に、天板(1)から張り出している蓋体(32)に使用者が接触したりしても、収容部(2)内の加熱器具やその上に載せてある調理器具に直接影響が及ぶことがない。
【００１８】
天板(1)の下側に水平方向へ回動し、天板(1)内側への収容と天板(1)外側への張り出しができるように設けられた副天板(6)が設けられているものは、副天板(6)を天板(1)から張り出させるようにすれば、天面として使用できる面積を更に広げることができる。
【発明の効果】
【００１９】
（ａ）本発明に係るテーブルによれば、テーブルで加熱調理をするとき、蓋体を開口部から離脱させるように、例えば回動体を回動させ蓋体を反転させると、天板から一部または全部が張り出すようにして止まる。この反転し天板から張り出している蓋体は、調理の材料や調理用の各種道具を載せる載置部として使用することができる。また、加熱調理中に、天板から張り出している蓋体に使用者が接触したりしても、収容部内の加熱器具やその上に載せてある調理器具に直接影響が及ぶことがなく、従来のような高温の内容物がはね出したりこぼれたりする危険を緩和することができる。
【００２０】
（ｂ）天板の下側に水平方向へ回動し、天板内側への収容と天板外側への張り出しができるように設けられた副天板が設けられているものは、副天板を天板から張り出させるようにすれば、天面として使用できる面積を更に広げることができ、調理をする際の使い勝手がより向上する。
【発明を実施するための最良の形態】
【００２１】
本発明を図に示した実施例に基づき詳細に説明する。
【実施例】
【００２２】
図１は本発明に係るテーブルの一実施の形態を示す斜視図、
図２は図１におけるＡ−Ａ部分断面説明図、
図３は図１におけるＢ−Ｂ部分断面説明図である。
【００２３】
テーブルＴは平面視でいわば水滴型といえる天板１、天板１に開口部を有し下方へ膨出して設けてある加熱器具収容部２、加熱器具収容部２の開口部を開閉する蓋体装置３、加熱器具収容部２を囲むように天板１下側に配される四本の固定脚４、固定脚４から離れた位置に設けてある飾り脚５及び飾り脚５に設けてある副天板６により構成されている。
【００２４】
（天板１）
天板１は、上記形状の無垢の接ぎ板でつくられている。上記加熱器具収容部２は、天板１の幅が広い側に設けられ、上記飾り脚５は天板１の幅が狭い側に設けられている。加熱器具収容部２が設けられる部分には、四角形状の開口部１０が設けられている。また、飾り脚５が設けられる部分には、円形の貫通孔１１が設けられている。
【００２５】
（加熱器具収容部２）
加熱器具収容部２は、天板１の開口部１０の下側に膨出するように、上部が開口した箱体２０が固着されている。箱体２０の開口した上部側は、天板１の開口部１０に内嵌めされており、その上端面には、金属製の当板２１が張り付けてあり、後述する蓋体３２が被せられたときに当接する段部を形成している。また、箱体２０の内底面部と内側面部には、箱体２０が加熱器具により過熱することを防止する石板２２が配してある。
【００２６】
（蓋体装置３）
主に図２を参照する。
蓋体装置３は、軸棒３０、回動体３１及び蓋体３２により構成されている。軸棒３０は両端部が球状に形成され、開口部１０の近傍（天板１の長手方向一端側の縁部と開口部１０の間）の天板１表面に埋め込まれて固定されている。
【００２７】
回動体３１の基端部には管体３１０が設けられ、回動体３１は軸棒３０の中央部に管体３１０を嵌め込んで回動可能に取り付けられている。回動体３１の先端部には、やや幅広い取着部３１１が設けてある。取着部３１１には、木製の蓋体３２がネジ着されている。蓋体３２は、上記開口部１０に嵌め入れることができる四角形状に形成され、中央部に貫通した指挿入穴３２０が設けられている。
【００２８】
上記軸棒３０の固定位置及び回動体３１の長さは、回動体３１を内側へ回動させたときは、蓋体３２が開口部１０を塞ぐようにちょうど収まり、外側へ回動させたときは、蓋体３２が反転した状態で、蓋体３２の全体が天板１の端部から張り出している。なお、符号１２は、外側へ回動した回動体３１を受ける突起である。
【００２９】
（固定脚４）
天板１の下側の上記箱体２０の四隅に沿うように四本の固定脚４が垂直に設けられている。
【００３０】
（飾り脚５、副天板６）
飾り脚５は、天板に設けられた上記貫通孔１１に垂直に固定されている。また、飾り脚５の取付部には、副天板６が水平方向に回動可能に取り付けてある。取付部分の構造は次の通りである。
【００３１】
主に図３を参照する。
飾り脚５は円柱状の脚体５０を有し、その下端部には飾り脚５を安定させる安定部材５１が十字状に張り出して設けられている。脚体５０の上端部には径小の挿入体５２が形成され、その基部側には挿入体５２よりやや径大で脚体５０より径小の軸部５３が設けられている。挿入体５２は貫通孔１１にほぼ隙間なく挿入できる太さに形成されている。挿入体５２の所要箇所には、横方向に貫通して楔孔５４が設けられている。
【００３２】
上記軸部５３には、副天板６が水平方向に回動可能に取り付けられる。副天板６は角の丸い三角形状に形成され、一角部寄りには上記軸部５３に嵌め入れる円形の貫通孔６０が設けられている。副天板６は、貫通孔６０を軸部５３に嵌めて回転させることができる。
【００３３】
そして、飾り脚５は、まず脚体５０上部の軸部５３に貫通孔６０を嵌め入れて副天板６を取り付け、更にドーナツ盤状の座盤５５を軸部５３に嵌め入れて副天板６の上に重ねる。次に、挿入体５２を天板１の貫通孔１１に下方から挿入し、軸部５３の上面を天板１下面に当てて挿入体５２を貫通孔１１から突出させる。これにより、天板１上面側に表れた楔孔５４に楔５６を差し込んで飾り脚５は天板１に固定される。
【００３４】
（作用）
図４はテーブルの使用状態を示す斜視説明図である。
【００３５】
テーブルＴの周りには、四脚の椅子Ｃが配されている。
テーブルＴを普通のテーブルとして使用するときは、蓋体３２を加熱器具収容部２の開口部１０に被せて図１に示す状態にしておく。この状態では、蓋体３２の表面が天板１表面と本質的に面一となっており、普通のテーブルとして支障なく使用できる。
【００３６】
テーブルＴで加熱調理をするときは、蓋体３２を開口部１０から離脱させるように回動体３１を外側へ回動させて突起１２に載置し、蓋体３２を反転させる。回動体３１が突起に当たって止まると、図４に示すように蓋体３２は天板１から全部が張り出すようにして止まる。
【００３７】
加熱器具収容部２の箱体２０内に炭火を入れた七輪７を収容し、その上に鍋等の調理器具（図示省略）を載せて加熱調理を行うようにする。このとき、反転して天板１から張り出している蓋体３２は、調理の材料や調理用の各種道具を載せる載置部として使用することができる。
【００３８】
また、蓋体３２は天板１から分離しない構造であるので、加熱器具収容部２を開けたときに置き場所に困ることもない。更には加熱調理中に、天板１から張り出している蓋体３２に使用者が接触したりしても、加熱器具収容部２内の加熱器具である七輪７やその上に載せてある調理器具に直接影響が及ぶことがなく、高温の内容物がはね出したりこぼれることはないので安全性が向上する。
【００３９】
なお、必要に応じて副天板６を水平方向へ回動させて天板１の外側への張り出させる。副天板６を天板１から張り出させるようにすれば、天面として使用できる面積を更に広げることができ、使い勝手が向上する。
【００４０】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００４１】
【図１】本発明に係るテーブルの一実施の形態を示す斜視図。
【図２】図１におけるＡ−Ａ部分断面説明図。
【図３】図１におけるＢ−Ｂ部分断面説明図。
【図４】テーブルの使用状態を示す斜視説明図。
【符号の説明】
【００４２】
Ｔ テーブル
１ 天板
１０ 開口部
１１ 貫通孔
１２ 突起
２ 加熱器具収容部
２０ 箱体
２１ 当板
２２ 石板
３ 蓋体装置
３０ 軸棒
３１ 回動体
３１０ 管体
３１１ 取着部
３２ 蓋体
３２０  指挿入穴
４ 固定脚
５ 脚
５０ 脚体
５１ 安定部材
５２ 挿入体
５３ 軸部
５４ 楔孔
５５ 座盤
５６ 楔
６ 副天板
６０ 貫通孔
７ 七輪
Ｃ 椅子
【図１】
2006218221.tif 000003
【図２】
2006218221.tif 000004
【図３】
2006218221.tif 000005
【図４】
2006218221.tif 000006